(57)【要約】自動支払いシステムは、ユーザの財務データを保持するデータ記憶装置（14）と、無線メッセージ伝送が可能な第１ビーコン装置（12）と、このようなメッセージ伝送を受信することが可能な少なくとも１つの携帯機器（10）とを有する。前記第１ビーコンは、ブルートゥースのような第１通信プロトコルにより一連の照会メッセージを放送するように構成される。前記携帯機器（10）は、このような照会メッセージを検出し、前記携帯機器に対する識別子を用いて応答する（2）。前記第１ビーコン（12）は、この場合、前記受信された識別子を前記データ記憶装置（14）に伝送し（3）、前記データ記憶装置は、受信された識別子と記憶された識別子との間の照合を確認する。照合が検出されると、及び任意の信用調査（3.A）に続いて、許可信号（4）が、前記第１ビーコン（12）に送信され、前記第１ビーコンは、次いで、前記支払われた商品又はサービスを提供する。
2004534306.tif 000002
【特許請求の範囲】
【請求項１】
ユーザの財務データを保持するデータ記憶装置と、無線メッセージ伝送が可能な第１ビーコン装置と、このようなメッセージ伝送を受信することが可能な少なくとも１つの携帯機器とを有する自動支払いシステムであって、前記データ記憶装置が、更に前記ユーザの携帯機器と関連付けられた識別子を保持し、前記第１ビーコンが、商品又はサービスのセールスポイントとして機能し、短距離にわたり及び第１通信プロトコルにより一連の照会メッセージを放送するように構成され、前記少なくとも１つの携帯機器が、範囲内にある場合にこのような照会メッセージを検出し、前記携帯機器に対する識別子を用いて応答するように構成され、前記第１ビーコン装置が、受信された識別子を前記データ記憶装置に対して伝送するように構成され、受信された識別子及び記憶された識別子が前記データ記憶装置により照合されると、前記ユーザに対する前記商品又はサービスの提供に対して許可が与えられる自動支払いシステム。
【請求項２】
前記システムが、複数の第１ビーコン装置を有し、前記複数の第１ビーコン装置が、地理的領域にわたり配置され、共通のデータ記憶装置と連結され、各ビーコン装置が、携帯機器から識別子を受信し、それぞれの商品又はサービスの提供に対する許可を提供するように構成される、請求項１に記載のシステム。
【請求項３】
受信された識別子の伝送のために前記第１ビーコン装置と前記データ記憶装置とを連結する安全なデータチャネルを更に有する請求項１に記載のシステム。
【請求項４】
更に、前記商品及びサービスを提供することが実施可能であり、前記ユーザの身元を確認するためにユーザの携帯機器と通信するように結合され、前記商品又はサービスの提供の前に前記データ記憶装置から前記携帯機器に対して前記許可を得るように構成される第２装置を有する請求項１に記載のシステム。
【請求項５】
前記第２装置が、１つ以上の第２ビーコン装置を有し、前記１つ以上の第２ビーコン装置が、前記第１ビーコン装置及びデータ記憶装置と連結され、前記第１ビーコン装置からの前記携帯機器に対する前記識別子の受信と、前記データ記憶装置からの前記許可の受信との後に続いて前記ユーザの前記携帯機器に対してデータサービスを配送することが実施可能である、請求項４に記載のシステム。
【請求項６】
前記第１通信プロトコルが、ブルートゥース・メッセージングを有し、前記第１ビーコン装置が、所定のクロックされた一連の周波数において一連の照会メッセージを放送するように構成され、前記第１ビーコン装置に対するクロック情報が追加データフィールドにより伝送されるデータに含まれる、請求項１に記載のシステム。
【請求項７】
請求項１ないし６の何れか一項に記載のシステムにおいて使用するモバイル通信装置であって、前記装置が、短距離無線照会メッセージを受信することが可能な受信器と、前記メッセージに含まれるデータを処理し、前記装置に対する識別子を含む応答メッセージを構成することが実施可能な処理手段と、前記構成された応答メッセージを前記照会メッセージのソースに無線で伝送するように構成される伝送手段とを有するモバイル通信装置。
【請求項８】
請求項１に記載の自動支払いシステムにおいて使用する通信基盤であって、前記基盤が、前記データ記憶装置及び前記第１ビーコン装置並びにその間の相互接続を有し、前記第１ビーコン装置が、短距離にわたり前記少なくとも１つの携帯機器に対して無線メッセージ伝送が可能であり、前記第１ビーコンが、第１通信プロトコルにより前記一連の照会メッセージを放送し、前記携帯機器に対する携帯機器識別子を含むどんな応答メッセージも検出し、受信された識別子を前記データ記憶装置に対して伝送することが実施可能であり、前記データ記憶装置が、前記ユーザに対する商品又はサービスの提供に対する許可を与えるために、前記携帯機器に対する受信された識別子と前記ユーザに対する記憶された識別子との間で比較を実行するように構成される、通信基盤。
【請求項９】
前記第１ビーコン装置と前記データ記憶装置との間の前記相互接続が、安全なデータチャネルを有する、請求項８に記載の通信基盤。
【請求項１０】
更に共通のデータ記憶装置に連結された複数の第１ビーコン装置を有する、請求項８又は請求項９に記載の通信基盤。
【請求項１１】
少なくともユーザの財務データを保持するデータ記憶装置と無線メッセージ伝送が可能な第１ビーコン装置とを含む環境において、携帯通信機器のユーザがビーコン装置とのサービス・インタラクションを介して商品又はサービスを購入することを可能にする方法であって、第１ビーコンが、短距離にわたり第１通信プロトコルによって一連の照会メッセージを放送し、前記ユーザの携帯機器が、このような照会メッセージを検出し、前記携帯機器に対する識別子を用いて応答し、前記第１ビーコン装置が、受信された識別子を前記データ記憶装置に対して伝送し、受信された識別子及び記憶された識別子が前記データ記憶装置により照合されると、ユーザに対する前記商品又はサービスの提供に対して許可が与えられる方法。
【請求項１２】
前記データ記憶装置が、更にユーザに対する財務バランスを保持し、前記バランスからそれぞれの商品又はサービスに対する所定の代価が、提供に対して与えられる許可の前に差し引かれる、請求項１１に記載の方法。
【請求項１３】
もし最新のバランスが、商品又はサービスの要求された品目の代価を支払うのに不十分であれば、いつでも許可が与えられない、請求項１２に記載の方法。
【請求項１４】
更に、許可を得る間及び前記商品又はサービスの提供の前に、前記第１ビーコン装置と通信する同様に構成された携帯機器は無いと決定するステップを有する請求項１１に記載の方法。
【請求項１５】
前記決定するステップが、前記ユーザに所定の期間の間、彼らの携帯機器を前記第１ビーコンの通信範囲内に留めることを要求する、請求項１４に記載の方法。
【請求項１６】
更に、商品又はサービスのユーザ選択された品目の前記提供に対する許可を得る前に、利用可能な商品又はサービスのメニューからユーザ選択を可能にするステップを有する請求項１１に記載の方法。
【請求項１７】
前記短距離が１メートル以下である、請求項１１に記載の方法。
【請求項１８】
前記短距離が５センチメートル以下である、請求項１１に記載の方法。
【発明の詳細な説明】
【技術分野】
【０００１】
本発明は、電子機器のユーザ、特に、しかし排他的にではなく、携帯電話及び適切に装備されたＰＤＡ（携帯情報端末）のユーザに対して提供される商品又はサービスの供給に関し、より詳細には、このような商品又はサービスに対して支払うための装置に関する。本発明は、更に、このような商品又はサービスに対する支払いの配送を承認する手段にも関する。
【背景技術】
【０００２】
近年、携帯電話ネットワークの世界中の加入者数において大幅な増加が見られ、技術の進歩及び機能の追加により、携帯電話は個人的な信頼される装置になっている。この結果は、モバイル情報社会が発展し、個人化及び地域化されたサービスが増加的に、より重要になることである。このような“コンテキストアウェア”（CA）携帯電話が、位置特有の情報を提供するショッピングモールのような場所において、低電力短距離基地局と共に使用される。この情報は、地域地図並びに近くの店及びレストランの情報等を含み得る。このような情報がしばしば料金無しで送信される一方で、ユーザが料金を請求されるデータサービス（例えばスポーツの得点の更新、携帯電話のための新しい呼び出し音のダウンロード）があってもよい。このような商品及びサービスに対する支払いが、小切手又はクレジットカード承認の発送、テレバンキング又は直接の引き落とし手配のような従来の方法により行われてもよいが、無線リンク自動支払いシステムがユーザにとって有益であることができることが認識されている。
【０００３】
ある距離（例えば数メートル）における無線取引は、前記ユーザの目的及び承諾を捕えるために特別な措置を要求する。これらは、前記ユーザに暗証番号を記憶すること及びモバイル装置上のボタンを押す又は数字を打ち込む不必要なインタラクション労力を伴うかもしれない。即ち、このような手続きは、小さな購入に対して煩わしい。前記取引の詳細自体が、この場合、安全な無線ネットワークプロトコルに持ち込まれる必要がある。
【発明の開示】
【発明が解決しようとする課題】
【０００４】
従って、本発明の目的は、無線リンクにより与えられる自由を利用し、且つ前記ユーザが長く複雑な承認手続きを請け負う必要なく支払いを承認する手段を提供することである。
【課題を解決するための手段】
【０００５】
本発明の第１の態様により、ユーザの財務データを保持するデータ記憶装置と、無線メッセージ伝送が可能な第１ビーコン装置と、このようなメッセージ伝送を受信することが可能な少なくとも１つの携帯機器を有する自動支払いシステムが提供され、前記データ記憶装置は、更に前記ユーザの携帯機器と関連付けられた識別子を保持し、前記第１ビーコンは、商品又はサービスのセールスポイントとして機能し、短距離にわたり及び第１通信プロトコルにより一連の照会メッセージを放送するように構成され、前記少なくとも１つの携帯機器は、範囲内にある場合にはこのような照会メッセージを検出し、前記携帯機器に対する識別子を用いて応答するように構成され、前記第１ビーコン装置は、受信された識別子を前記データ記憶装置に対して伝送するように構成され、受信された識別子及び記憶された識別子が前記データ記憶装置により照合されると、前記ユーザに対する前記商品又はサービスの提供に対して許可が与えられる。照会メッセージの短距離放送を用いて、購入に対する許可を得るためには、前記ユーザは、単純に、許可手続きを始動する前記第１ビーコンの短距離内に彼／彼女の携帯機器を通す必要がある。
【０００６】
前記システムは、地理的領域（例えばショッピングモール）にわたり配置され、共通のデータ記憶装置と−安全なデータチャネルを適切に介して−連結された複数の前記第１ビーコン装置を有してもよく、各ビーコンは、携帯機器から識別子を受信し、それぞれの商品又はサービスの提供に対する許可を提供するように構成される。
【０００７】
前記システムは、更に、前記商品及びサービスを提供することが実施可能であり、ユーザの身元を確認するためにユーザの携帯機器と通信するように結合され、前記商品又はサービスの提供の前に前記データ記憶装置から前記携帯機器に対して前記許可を得るように構成される第２装置を有し得る。このような構成において、前記第２装置は、前記第１ビーコン装置及びデータ記憶装置と連結され、前記第１ビーコンからの前記携帯機器に対する前記識別子の受信及び前記データ記憶装置からの適切な許可の受信の後に続いて前記ユーザの携帯機器に対してデータサービスを配送することが実施可能な１つ以上の第２ビーコン装置を有し得る。
【０００８】
本発明は、更に、上述のシステムにおいて使用するモバイル通信装置を提供し、前記装置は、短距離無線照会メッセージを受信することができる受信器と、前記メッセージ内に含まれるデータを処理し、前記装置に対する識別子を含む応答メッセージを構成することが実施可能な処理手段と、前記構成された応答メッセージを前記照会メッセージのソースに無線で伝送するように構成される伝送手段とを有する。
【０００９】
本発明は、更に、上述の自動支払いシステムにおいて使用する通信基盤を提供し、前記基盤は、前記データ記憶装置及び前記第１ビーコン装置並びにその間の相互接続を有し、前記第１ビーコン装置は、短距離にわたる前記少なくとも１つの携帯機器に対する無線メッセージ伝送が可能であり、前記第１ビーコンは、第１通信プロトコルにより前記一連の照会メッセージを放送し、前記携帯機器に対する携帯機器識別子を含むどんな応答メッセージも検出し、受信された識別子を前記データ記憶装置に伝送することが実施可能であり、前記データ記憶装置は、前記携帯機器に対する受信された識別子と前記ユーザに対する記憶された識別子との間で比較を実行し、照合の検出と同時に前記ユーザに対して商品又はサービスの提供に対する許可を与えるように構成される。
【００１０】
また、本発明によると、少なくともユーザの財務データを保持するデータ記憶装置及び無線メッセージ伝送が可能な第１ビーコン装置を含む環境において、携帯通信機器のユーザが、ビーコン装置を用いたサービス・インタラクションにより商品又はサービスを購入することを可能にする方法が提供され、ここで第１ビーコンは、短距離にわたり第１通信プロトコルにより一連の照会メッセージを放送し、前記ユーザの携帯機器は、このような照会メッセージを検出し、前記携帯機器に対する識別子を用いて応答し、前記第１ビーコン装置は、受信された識別子を前記データ記憶装置に伝送し、受信された識別子及び記憶された識別子が前記データ記憶装置により照合されるとユーザに対して商品又はサービスの提供に対する許可が与えられる。前記データ記憶装置は、更に、ユーザに対する財務バランスを保持してもよく、前記バランスから対応する商品又はサービスに対する所定の代価は、提供に対して与えられる許可の前に差し引かれ、任意で、もし最新のバランスが商品又はサービスの要求された品目の代価を支払うのに不十分であれば、いつでも許可が保留にされる。
【００１１】
誤った許可又は起こり得る悪用を避けるために、前記方法は、許可を得る間、及び前記商品又はサービスの提供の前に、前記第１ビーコン装置と通信する同様に構成された携帯機器が無いことを決定する更に他のステップを有し得る。即ち、前記決定するステップは、前記ユーザに彼らの携帯機器を所定の期間の間、前記第１ビーコンの通信範囲内に留めることを要求し得る。
【００１２】
高められたユーザに対する親切のために、前記方法は、更に、商品又はサービスのユーザ選択された品目の前記提供に対する許可を得る前に、利用可能な商品又はサービスのメニューからユーザ選択を可能にするステップを有してもよい。
【００１３】
本発明の更に他の特徴又は利点は、添付された請求項において詳述され、前記請求項の開示は、ここに参考のために示され、読み手はここで指導される。
【００１４】
本発明の好ましい実施例は、例としてのみ、添付図面を参照してここで記述されるだろう。
【発明を実施するための最良の形態】
【００１５】
以下の記述において、我々は、特に、ビーコンから携帯機器（電話、ＰＤＡ又は他のもの）へのメッセージの通信に対してブルートゥースプロトコルを使用するコンテキストアウェアな応用を検討する。認識されるであろうように、一般的な発明は、ブルートゥース装置に制限されず、他の通信装置に対しても適用可能である。
【００１６】
図１は、ユーザの財務データを保持するデータ記憶装置14と、無線メッセージ伝送が可能な第１ビーコン装置12と、このようなメッセージ伝送を受信することが可能な少なくとも１つの携帯機器10とを有する自動支払いシステムの構成要素の特徴を一般化された形式において示す。前記図は、括弧内の数字によりメッセージ伝送の順序を図示する。
【００１７】
前記第１ビーコンは、ブルートゥースのような第１通信プロトコルにより一連の照会メッセージ(1)を放送するように構成される。携帯機器10は、このような照会メッセージを検出し、前記携帯機器に対する識別子を用いて応答(2)する。第１ビーコン12は、この場合、前記受信された識別子をデータ記憶装置14に伝送し、前記データ記憶装置は、受信された識別子と記憶された識別子との間の照合を確認16する。照合が検出されると、及び任意の信用調査(3.A)に続いて、許可信号(4)が、第１ビーコン12に対して送信され、次いで前記第１ビーコンは、支払われた商品又はサービスを提供する。このような装置は、前記モバイル装置にデータをダウンロードするビーコンを用いて、又は他の方法において製品を購入できるようにして（例えば機械的販売機を介して）、地域地図、地域クラブへのアクセス等のような位置特有の情報を販売するショッピングモールのような場所において使用され得る。
【００１８】
図２は、図１の前記一般的なシステムの実施例を、より詳細に及び付加的な特徴と共に提示する。示されるように、携帯電話10は、ブルートゥース・アクセスポイントの形式においてビーコン12と関連した画面又は音声メニュー20を介して前記ユーザに対して初めに提供される購入選択を用いて、前記ユーザが支払いを承認する機構である。
【００１９】
多数の単純な取引に対して、ユーザ機器10は、固定された取引アクセスポイント12の非常に近くに到ることができる。ブルートゥース・アクセスポイントの範囲は、ブルートゥースラジオの伝送力を調節することにより1-2cmまで減少されることができる。前記アクセスポイントは、この場合、ただブルートゥース照会走査機能を連続的に実行することができ、前記ユーザにより前記アクセスポイント“読取装置”の範囲内に所定の秒数（例えば３）の間、故意に保持されたどんなモバイル装置のBT_ADDRでも発見する。前記モバイルのBT_ADDR装置IDは、この場合、高速バックエンド（固定回線、GPRS/GSMコール等）を越えてデータ記憶装置12又は前記取引ポイントの一部を形成する取引コントローラ22に移動される。取引コントローラ22から、前記BT_ADDR装置IDは、ユーザ登録された可能な支払い方法（例えば電話代請求書、クレジットカード）を持つモバイル装置識別子のデータベース26に対する認証のために中央システム24に移動される。遅いバックエンドの場合には、取引コントローラ22が、この支払い承認データベースのコピー26.Aを保持する定期的に更新されるローカル・キャッシュ28を維持することが必要であるかもしれない。中央システム24から、支払いの確認（又は支払われるべき請求書）が、例えばWAN 30を越えてモバイル装置10に送られ得る。
【００２０】
従って、前記システムは、ユーザのモバイル・ブルートゥース使用可能装置を用いる購入に対する自然で、非常に使いやすく、明確な解決を提供する。どんなブルートゥース装置でも、全部が唯一のブルートゥース識別子を持つので、このやり方で使用されることができる。即ち、操作は、クレジットカードを機械に通すのと同様に単純且つ積極的な行動である。認識されるであろうように、同じ機構が、唯一のRF装置識別子を伴う他のRF規格、例えば、802.11、縮小された範囲を持つPurlNet/Liteを使用して実施されてもよい。
【００２１】
上述したように、１つ以上のビーコンが前記システムの一部であり得る。ショッピングモールは、建物の各入り口に１つ、又は各小売店内に１つ配置し、そこで商品又はサービスの購入を可能にしてもよい。図３は、第１ビーコン型に結合された第２ビーコン型16と同様に、前記同じデータ記憶装置と接続された第１ビーコン型12の第２例と共に、前記一般的な機構を拡張するために幾つかの任意選択を図示する。この第２ビーコン型を用いて、モバイル10と支払い承認ビーコン12との間のインタラクションの継続時間は、サービスの配送又はビーコン16において処理される購入済み商品へのアクセスを可能にするためのサービス・インタラクションを用いて、短く保たれてもよい。前記図においてそれぞれ“cm”及び“m”と記された線により示されるように、前記第２ビーコンは、ユーザが前記取引を終えるために前記モバイルをそんなにビーコンの近くに保つことを要求されないように、第１ビーコン12より大幅に広い放送範囲を持つ、より高出力な装置であり得る。
【００２２】
小額の支払いに対して前記短距離（cm）ブルートゥース読取装置を使用する考えは、ユーザの電話料金請求書又は事前に登録されたクレジットカードで引き落とされることができる、入場料の支払い、自動販売機からのソフトドリンクの購入、電話料金の支払い、及び電車の切符の購入等のように、非常に幅広い応用を持つ。対応する、より高いリスクを持つ、より高額な支払いに対して、この場合、ブルートゥース装置アドレスのただ１つの信頼より精巧な安全基準、例えばデジタル証明書との引き換え、及び個人／公共の鍵暗号方法等が適用され得る。
【００２３】
前記システムは、非常に使いやすく、即ち、ユーザは、自動販売機上のブランドＸ選択を押した後に数秒間、モバイル10を前記ブルートゥース読取装置（又は他の形式の第１ビーコン）の下で保持する必要しかない（数字入力又は安全取引プロトコルが要求されない）。前記自動販売機は、前記中央承認システムに（安全なGPRS又はその他の取引バックエンドシステムを介して）前記ユーザのブルートゥース識別子を引き落としのために送り返す。取引を登録後、前記アクセスポイントは、手続きの完了を示すために前記ユーザに対してフィードバック（聞こえるように又は視覚的に）を提供すべきである。フィードバックは、前記アクセスポイントから直接又は前記モバイルに対して（広範囲ネットワーク−図２の線30−又はブルートゥースを介して）であってもよい。時間遅延は、前記アクセスポイントが支払いのための他のモバイル装置を受け入れるために再び活性化される前に、意図的に挿入されるか、又は定期的な照会ポーリングがどんな近くのブルートゥース装置の不在を発見するまで追加される停止であってもよい。
【００２４】
前記ユーザは、ブルートゥース装置識別子を支払い装置として使用するために事前登録し、中央データベースにおいて相互に関係した支払い機構（クレジットカード番号、電話料金請求書で請求する関連した電話番号等）を承認しなければならない。例えば所定の期間内に前記ブルートゥース装置識別子を承認として使用する最大支払額を制限、同種の繰り返される支払いの最大回数又は同じ取引装置における最大回数を制限、及び盗まれたモバイル装置を用いた取引を停止する（あるいは現在検出されたアクセスポイント位置に注目する）ような、保護が追加されることができる。
【００２５】
前記ユーザに対する主な利点は、この物理的な購入行動の自然な単純さ及び透明性である。また、無駄な電波スペクトル使用の対応する減少と共に不必要なブルートゥース安全プロトコル処理を減少することで前記システム側において節約することができる。
【００２６】
本開示を読むことから、他の修正が当業者に対して明らかであろう。このような修正は、固定された及び持ち運び可能な通信システム及びそこに結合される構成要素の設計、製造、及び仕様において既知であり、且つここに既に記述された特徴の代わりに又はそれに加えて使用されてもよい他の特徴を含んでもよい。
【図面の簡単な説明】
【００２７】
【図１】本発明を体現するビーコン、データ記憶装置、及び携帯機器の概略的なブロック図である。
【図２】図１の実施例の幾つかの特徴をより詳細に示す。
【図３】図１のシステムの複数のビーコンを使用する変形を表す。
【図１】
2004534306.tif 000003
【図２】
2004534306.tif 000004
【図３】
2004534306.tif 000005
【国際公開パンフレット】
2004534306.tif 000006
2004534306.tif 000007
2004534306.tif 000008
2004534306.tif 000009
2004534306.tif 000010
2004534306.tif 000011
2004534306.tif 000012
2004534306.tif 000013
2004534306.tif 000014
2004534306.tif 000015
2004534306.tif 000016
2004534306.tif 000017
2004534306.tif 000018
2004534306.tif 000019
2004534306.tif 000020
【国際調査報告】
2004534306.tif 000021
2004534306.tif 000022
2004534306.tif 000023